(57)【要約】【課題】取付面の傾きにより流しが傾いていた場合、流しの排水口に対して排水管が傾いていた場合、及び、流しと排水管の両方が傾いていた場合の、何れの場合においても、流しの排水口と排水管を接続した際に、排水口と排水器具の間に隙間が生じることを抑制する。【解決手段】流しの排水口に取り付けられる排水器具であって、流しの内面側の排水口である内面排水口から、流しの外面側の排水口である外面排水口まで挿通される弾性変形自在な筒状の連通管と、連通管を弾性変形させて前記排水口に固定する固定手段と、連通管に排水管を接続する排水管接続部と、を備えるようにした。【選択図】  図４
2016065411.tif 000002
【特許請求の範囲】
【請求項１】
流しの排水口に取り付けられ、排水管と接続される排水器具であって、  
前記流しの内面側の前記排水口である内面排水口から、前記流しの外面側の前記排水口である外面排水口まで挿通される弾性変形自在な筒状の連通管と、
前記連通管を弾性変形させて前記排水口に固定する固定手段と、
を備える排水器具。
【請求項２】
前記連通管は、前記固定手段によって前記連通管が前記排水口に固定されることで、前記内面排水口をシールする第１シール部、及び、前記外面排水口をシールする第２シール部を備える請求項１に記載の排水器具。
【請求項３】
前記連通管の内部に一体に取り付けられる被固定手段と、
前記固定手段に形成され、前記固定手段が前記被固定手段に固定されることで、前記連通管の一方の端部と当接する当接部と、
前記連通管において、前記当接部が当接する前記連通管の端部と前記被固定手段との間に形成され、前記連通管の外径方向側に膨らんでいる膨張部であって、前記固定手段が前記被固定手段に固定されることで弾性変形し、前記外面排水口に当接することで前記第２シール部を形成する膨張部と、
を備える請求項２に記載の排水器具。
【発明の詳細な説明】
【技術分野】
【０００１】
本発明は、洗面器や手洗器、キッチンシンクなどボウル部を有する流しの排水口に装着される排水器具に関する。
【背景技術】
【０００２】
洗面器等の流しは、蛇口等の水栓装置から供給される水を受けるボウル部を有している。流しのボウル部に供給された水は、建物の排水配管を通して排水する必要があるため、流しは排水配管に接続される。そのため、流しと建物の排水配管とを接続するために、流しの底部に設けられた排水口に取り付けられる排水器具が知られている。
【０００３】
このような排水器具は、上部にフランジ部が設けられており、フランジ部の下側には、排水口に挿通される挿通部が設けられている。このような排水器具は、その挿通部を流しの上方から排水口に挿通し、流しの下側からナットなどによって固定することで取り付けられる。また、排水器具と排水口との間から水漏れが発生しないように、両者の間には、シール部材が設けられる（特許文献１参照。）。シール部材は排水器具を取り付けた際に、排水口の上側と下側からシールできるよう、２箇所に設けられる。このように、流しの排水口に取り付けられた排水器具に対して、排水管が接続される。
【先行技術文献】
【特許文献】
【０００４】
【特許文献１】特開平１０−３０２６３号公報
【発明の概要】
【発明が解決しようとする課題】
【０００５】
しかし、流しが取り付けられる壁面等の取付面は、壁面の施工時の誤差などによって、必ずしも完全な平坦面として形成されないので、場所によって僅かに角度が異なっている場合がある。また、流しに取り付けられる排水管も、排水管施工時に傾いたり、排水管を接続する流しの排水口の位置からのズレを修正するために傾けられることがあるので、流しの排水口に取り付けられる排水管も、その取付方向から傾いている場合がある。そのため、このような取付面及び、又は排水管の傾きによって、取付面に取り付けた流しと排水管を接続した際に、流しの排水口に対して、排水管が傾いている場合がある。
【０００６】
排水管は排水器具を介して流しの排水口に取り付けられるが、従来の排水器具は、例えば金属やプラスチックなどの材料で形成されているため、このように傾いた排水管を排水器具に取り付けると、排水器具が排水管の傾きに沿って傾き、排水口と排水器具との間に隙間が生じてしまう。
【０００７】
また、排水管の傾きが大きくなり、排水口と排水器具との間に生じる隙間が大きくなると、この隙間から排水口と排水器具の間に設けられているパッキンが使用者から見えてしまい、見栄えが悪くなる。
【０００８】
本発明はこのような課題に対してなされたものであり、その目的の一つは、取付面の傾きにより流しが傾いていた場合、流しの排水口に対して排水管が傾いていた場合、及び、流しと排水管の両方が傾いていた場合の、何れの場合においても、流しの排水口と排水管を接続した際に、排水口と排水器具の間に隙間が生じることを抑制することのできる排水器具を提供することである。
【課題を解決するための手段】
【０００９】
上記課題を解決するために、第１の態様は、流しの排水口に取り付けられる排水器具であって、前記流しの内面側の前記排水口である内面排水口から、前記流しの外面側の前記排水口である外面排水口まで挿通される弾性変形自在な筒状の連通管と、前記連通管を弾性変形させて前記排水口に固定する固定手段と、を備える排水器具である。
【００１０】
このような構成によれば、取付面の傾きにより流しが傾いていた場合、流しの排水口に対して排水管が傾いていた場合、及び、流しと排水管の両方が傾いていた場合の、何れの場合においても、弾性変形自在な連通管がその傾きを吸収することができる。そのため、排水管の傾きによって、排水口と排水器具の間に隙間が生じることを抑制することができる。
また、被固定手段を固定手段によって固定することで連通管を弾性変形させて排水口に固定することができるため、連通管を排水口に挿通した後に固定することができる。
【００１１】
また、第２の態様は、第１の態様において、前記連通管は、前記固定手段によって前記連通管が前記排水口に固定されることで、前記内面排水口をシールする第１シール部、及び、前記外面排水口をシールする第２シール部を備える排水器具である。
【００１２】
このような構成によれば、連通管の第１シール部と第２シール部によって、流しの内面排水口と外面排水口をそれぞれシールするため、排水器具を取り付ける際に、別途パッキン等のシール部材を取り付ける必要が無い。これにより、排水器具の取り付けを簡素化することができ、かつ、排水器具の部品点数を少なくすることができる。
【００１３】
また、第３の態様は、第２の態様において、前記連通管の内部に一体に取り付けられる被固定手段と、前記固定手段に形成され、前記固定手段が前記被固定手段に固定されることで、前記連通管の一方の端部と当接する当接部と、前記連通管において、前記当接部が当接する前記連通管の端部と前記被固定手段との間に形成され、前記連通管の外径方向側に膨らんでいる膨張部であって、前記固定手段が前記被固定手段に固定されることで弾性変形し、前記外面排水口に当接することで前記第２シール部を形成する膨張部と、を備える排水器具である。
【００１４】
このような構成によれば、連通管を排水口に挿通した後に、連通管を固定手段によって固定することで、膨張部が押しつぶされるように弾性変形し、外面排水口に当接することで第２シール部が形成される。これにより、連通管の固定と同時に外面排水口をシールする第２シール部が形成されるため、連通管の取り付けを簡素化することができる。
【発明の効果】
【００１５】
本発明によれば、取付面の傾きにより流しが傾いていた場合、流しの排水口に対して排水管が傾いていた場合、及び、流しと排水管の両方が傾いていた場合の、何れの場合においても、流しの排水口と排水管を接続した際に、排水口と排水器具の間に隙間が生じることを抑制することのできる排水器具を提供することができる。
【図面の簡単な説明】
【００１６】
【図１】第１実施形態の排水器具が、流しに取り付けられている様子を示す断面図である。
【図２】第１実施形態の排水器具の分解断面図である。
【図３】第１実施形態の排水器具の固定方法を示す断面図である。
【図４】第１実施形態の排水器具に対して、排水管が傾いて取り付けられた状態を示す断面図である。
【図５】第２実施形態の排水器具の固定方法を示す断面図である。
【図６】第２実施形態の排水器具に対して、排水管が傾いて取り付けられた状態を示す断面図である。
【発明を実施するための形態】
【００１７】
以下、添付図面を参照しながら本発明の実施の形態について説明する。説明の理解を容易にするため、各図面において同一の構成要素に対しては可能な限り同一の符号を付して、重複する説明は省略する。
【００１８】
＜第１実施形態＞
第１実施形態の排水器具３０について、図１及び図２を用いて説明する。図１は第１実施形態の排水器具３０が流し１０に取り付けられている様子を示す断面図である。図２は第１実施形態の排水器具３０の分解断面図である。
【００１９】
図１に示すように、流し１０は壁面２０に固定されている。流し１０は図示しない水栓装置から供給される水を受けるボウル部１２と、ボウル部１２で受けた水を排水する排水口１４を備えている。また、ボウル部１２の上端側には、ボウル部１２からの水あふれを防止するためのオーバーフロー流路１６が設けられており、このオーバーフロー流路１６はボウル１２の裏面に形成された空間により、排水口１４まで繋がっており、このオーバーフロー流路１６に流れ込んだ水は排水器具３０に設けられた複数の孔部３２ａを通ってオーバーフロー流路１６から排水管１８を通って排水される。
【００２０】
排水口１４は、第１実施形態の排水器具３０を介して、排水管１８と接続される。具体的には、排水口１４に排水器具３０が挿通固定され、この挿通固定された排水器具３０に対して排水管１８がナット１９によって接続される。
【００２１】
図２に示すように、排水器具３０は目皿３１、筒状の連通管３２、及び、筒状の固定手段３６から構成されている。
【００２２】
連通管３２は、ゴム等の弾性を有する材料によって形成されているため、弾性変形自在である。連通管３２は筒状の部材である。連通管３２の外径は、排水口１４の径よりも小さくなっており、連通管３２が流し１０の排水口１４に取り付けられる際には、排水口１４に押通される。また、流し１０の排水口１４に取り付けられる際に上端となる開口一端部には、排水口１４の内面排水口１４ａの縁と当接するフランジ部３３が形成されている。そして、連通管３２の外周面において、連通管３２が流し１０の排水口１４に挿通された際に流し１０の外面側に露出する位置には、連通管３２の外径方向側に膨らんでいる膨張部３４が形成されている。この膨張部３４は、例えば円弧状に膨らんでいる。
【００２３】
また、連通管３２の内周面には、インサートナット３５が連通管３２の内部に固定されている。具体的には、インサートナット３５は、フランジ３３と膨張部３４との間となる位置に固定されている。このインサートナット３５は、固定手段３６の被固定手段となる。
【００２４】
さらに連通管３２には、連通管３２を流し１０の排水口１４に取り付けた際に、流し１０のオーバーフロー流路１６と連通する位置に、孔部３２ａが形成されている。この孔部３２ａにより、オーバーフロー流路１６に流れ込んだ水を排水管１８へと排水することができる。この連通管３２に設けられる穴部３２ａは必ずしも設けられている必要はない。例えば、オーバーフロー流路１６を有さない流し１０に取り付けられる連通管３２であれば、この穴部３２ａは形成されていない。
【００２５】
固定手段３６の外周面には、インサートナット３５と螺合可能なネジ山３６ａと、連通管３２の下端側の端部と当接する当接部３７が形成されている。当接部３７は固定手段３６を連通管３２のインサートナット３５にねじ込んでいくと、連通管３２の下端部が当接するように拡径している部分である。
また、固定手段３６の下端側には、固定手段３６と排水管１８とを接続するための排水管接続部３８が形成されている。排水管接続部３８には、ネジ山３８ａが形成されており、図１に示すように、ナット１９によって、排水管１８と接続される。従って、連通管３２に固定手段３６をねじ込み固定し、この固定手段３６の排水管接続部３８に排水管１８を接続することで、連通管３２に対して排水管１８が接続される。なお、固定手段３６の外周面のネジ山３６ａ及び排水管接続部３８のネジ山３８ａは図３以降において、その図示を省略している。
【００２６】
目皿３１は、連通管３２の上端側の開口部に挿し込むことで、固定される。目皿３１の上面には、ボウル部１２で受けた水を連通管３２へと流すための図示しない開口が形成されている。
【００２７】
続いて、第１実施形態の排水器具３０の作用について、図３、及び、図４を用いて説明する。図３は、第１実施形態の排水器具３０の流し１０に対する固定方法を示す断面図である。図４は、第１実施形態の排水器具３０に対して、排水管１８が傾いて取り付けられた状態を示す断面図である。
【００２８】
図３（ａ）に示すように、排水器具３０を流し１０の排水口１４に対して固定する際には、連通管３２を流し１０の排水口１４に挿入する。連通管３２を排水口１４に挿通すると、フランジ部３３が排水口１４の内面排水口１４ａの縁に当接し、連通管３２が排水口１４から抜け落ちないようになっている。これによって、連通管３２は流し１０の内面（ボウル部１２）側の排水口１４である内面排水口１４ａから、流し１０の外面側の排水口１４である外面排水口１４ｂまで挿通される。
【００２９】
また、第１実施形態の排水器具３０においては、連通管３２を排水口１４に挿通した状態において、連通管３２の途中に形成されている膨張部３４は流し１０の外面側に位置している。また、インサートナット３５は流し１０の内面排水口１４ａと外面排水口１４ｂの間に位置している。
【００３０】
このように流し１０の排水口１４に挿通された連通管３２に対して、固定手段３６を流し１０の外面側から連通管３２のインサートナット３５に対してねじ込み固定する。固定手段３６をねじ込んでいくと、図３（ｂ）に示すように、固定手段３６の当接部３７が連通管３２の下端側の端部と当接する。
【００３１】
当接部３７が当接した後も、固定手段３６をねじ込んでいくと、膨張部３７がインサートナット３５と当接部３７と当接する連通管３２の下端側の端部の間に形成されているため、弾性変形自在に形成されている連通管３２は、図３（ｂ）に示すように、膨張部３４が押しつぶされるように変形する。
このとき、膨張部３４は連通管３２の外径方向側に膨らんでいるため、膨張部３４は連通管３２の外径方向側に拡径するように変形する。
【００３２】
そして、変形した膨張部３４が外面側排水口１４ｂの縁に当接するまで、固定手段３６を締め上げることで、排水器具３０の流し１０の排水口１４に対する固定が完了する。
【００３３】
連通管３２はゴム等の弾性変形自在な材料によって形成されているため、流し１０の排水口１４に対して連通管３２を固定することで、排水口１４の内面排水口１４ａ、及び、外面排水口１４ｂが連通管３２によってシールされる。具体的には、排水口１４の内面排水口１４ａは、内面排水口１４ａの縁に当接するフランジ部３３によってシールされる。これは、固定手段３６をインサートナット３５にねじ込むことで、インサートナット３５が連通管３５の下端側に引っ張られる方向に力を受け、これにより、フランジ部３３が内面排水口１４ａに押しつけられるためである。つまり、連通管３２のフランジ部３３によって、流し１０の内面排水口１４ａをシールする第１シール部３９が形成される。
【００３４】
また、排水口１４の外面排水口１４ｂは、弾性変形した膨張部３４が外面排水口１４ｂの縁に当接することでシールされる。膨張部３４は上述した通り、固定手段３６をインサートナット３５にねじ込むことで、押しつぶされるように変形して、外面排水口１４ｂの縁に当接する。そのため、固定手段３６をねじ込むことで外面排水口１４ｂに押しつけられるので、外面排水口１４ｂをシールすることができる。つまり、外面排水口１４ｂの縁に当接する膨張部３４によって、第２シール部４０が形成される。
【００３５】
このように、排水器具３０は、連通管３２のフランジ部３３と膨張部３４によって形成される第１シール部３９と第２シール部４０によって、流し１０の内面排水口１４ａと外面排水口１４ｂをそれぞれシールするため、排水器具３０を流し１０の排水口１４に取り付ける際に、別途パッキン等のシール部材を取り付ける必要が無い。これにより、排水器具３０の取り付けを簡素化することができ、かつ、排水器具３０の部品点数を少なくすることができる。
【００３６】
流し１０に対する排水器具３０の固定が完了したら、図３（ｃ）に示すように、排水管１８を固定手段３６の排水管接続部３８にナット１９によって接続する。排水管１８の上端部には鍔部１８ａが形成されており、この鍔部１８ａにナット１９を引っかけて排水管接続部３８にナット１９を固定することで、固定手段３６の排水管接続部３８と排水管１８が接続される。また、固定手段３６と排水管１８の間からの水漏れを防ぐために、固定手段３６と排水管１８はパッキン１７を挟んで固定される。
【００３７】
このように、流し１０の排水口１４に固定される排水器具３０に対して、排水管１８が傾いて取り付けられた場合について、図４を用いて説明する。
【００３８】
図４に示すように、流し１０の排水口１４の中心軸Ａに対して、排水管１８の中心軸Ｂが傾いている場合がある。これは壁面２０、及び、排水管１８の施工状況によっては、壁面２０が傾いていたり、排水管１８が傾いていたりする場合があるためである。そのため、流し１０が傾いている場合や、流し１０と排水管１８の両方が傾いている場合も考えられるが、ここでは説明のために、排水管１８が傾いている場合を例に説明する。
【００３９】
排水器具３０を流し１０の排水口１４に固定した後、固定手段３６の排水管接続部３８に対して、図４のように傾いた排水管１８をナット１９によって接続すると、固定手段３６は金属等の弾性変形しない部材によって形成されているため、固定手段３６は排水管１８に倣って傾く。
しかし、固定手段３６が傾いたとしても、弾性変形自在な連通管３２のフランジ部３３よりも下端側の部分が固定手段３６の傾きに合わせて変形する。また、連通管３２が変形したとしても、フランジ部３３と膨張部３４は固定手段３６とインサートナット３５の締め付けによって、内面排水口１４ａと外面排水口１４ｂに押さえつけられた状態が維持される。そのため、連通管３２が固定手段３６の傾きに併せて変形したとしても、第１シール部３９と第２シール部４０のシールが外れることはない。
つまり、連通管３２は、第１シール部３９と第２シール部４０のシールを維持したまま固定手段３６の傾きを吸収することができる。そのため、排水管１８の傾きによって、排水口と排水器具の間に隙間が生じることを抑制することができる。
【００４０】
また、排水器具３０を流し１０の排水口１４に対して固定する際には、排水器具３０を作業者が手などによって固定していなくても、排水器具３０を流し１０の排水口１４に対して固定することができる。
これは、連通管３２のフランジ部３３及び膨張部３７が弾性変形自在な材料によって形成されているため、固定手段３６をねじ込んで行き、膨張部３７が外面排水口１４ｂに当接すると、連通管３２のフランジ部が内面排水口１４ａの縁に当接することによって生じる摩擦力と、連通管３２の膨張部３７が外面排水口１４ｂに当接することによって生じる摩擦力によって、連通管３２が流し１０の排水口１４に対して回転するのが抑制されるためである。
【００４１】
したがって、排水器具３０を流し１０の排水口１４に対して固定する際には、この連通管３２と、流し１０の内面排水口１４ａ及び画面排水口１４ｂとの間に生じる摩擦力によって、連通管３２を作業者が手などによって押えていなくても、流しの排水口１４に対して連通管３２を取り付けることができる。そのため、排水器具３０を流し１０の排水口１４に対して固定する際には、排水器具３０を押えていなくても、取り付けることができるため、排水器具３０を流し１０の外面排水口１４ｂ側からのみの取付作業で排水器具３０を取り付けることができる。これにより、排水器具３０の取り付け作業を簡単に行うことができる。
【００４２】
＜第２実施形態＞
続いて、図５及び図６を用いて第１実施形態の変形例である、第２実施形態について説明する。図５は、第２実施形態の排水器具６０の流し１０に対する固定方法を示す断面図である。図６は、第２実施形態の排水器具６０に対して、排水管１８が傾いて取り付けられた状態を示す断面図である。
【００４３】
図５（ａ）に示すように、第２実施形態の排水器具６０は、目皿６１と連通管６２によって構成されている。
【００４４】
第２実施形態における連通管６２は、その上端側に形成されるフランジ部６３と、連通管６２を流し１０の排水口１４に挿通した際に、流し１０の外面側となる位置に形成され、連通管６２の外径方向側に膨らんでいる膨張部６４と、膨張部６４よりも連通管６２の下端側において、連通管６２の内部に一体に取り付けられるインサートナット６５を備えている。また、連通管６２の下端側の外周面には、連通管６２と排水管１８をナット１９によって接続するためのネジ山６８ａ等が排水管接続部６８として形成されている。
【００４５】
また、第２実施形態における目皿６１は、連通管６２を流し１０の排水口１４に固定する固定手段６６として機能する。具体的には、図５（ａ）に示すように、目皿６１の裏面に形成される挿入部６１ａは、挿入部６１ａを連通管６２の上端側から挿入した際に、挿入部６１ａがインサートナット６５に届く程度の長さに形成されており、かつ、挿入部６１ａの外周面には、インサートナット６５と螺合可能なネジ山６６ａが形成されている。つまり、第２実施形態の排水器具６０では、連通管６２の上端側から目皿６１の挿入部６１ａを挿入し、インサートナット６５に対して目皿６１をねじ込んでいくことで、流し１０の排水口１４に固定される。
また、目皿６１には、目皿６１をインサートナット６５に固定した際に、連通管６２のフランジ部６３と当接する当接部６７が形成されている。目皿６１は連通管６２のフランジ部６３を覆うことができるように形成されているので、目皿６１の連通管６２の内周面の直径よりも大きくなっている箇所が当接部６７となる。
また、目皿６１の上面には、ボウル部１２で受けた水を連通管６２へと流すための図示しない開口が形成されている。なお、挿入部６１ａの外周面に形成されているネジ山６６ａ及び連通管６２の排水管接続部６８のネジ山６８ａは図６以降において、その図示を省略している。
【００４６】
また、図５に示すように、第２実施形態における排水器具６０においては、オーバーフロー流路１６に流れ込んだ水を排水管１８に流すための目皿６１に形成された孔部６１ｂ、及び、連通管６２の外周面に形成される図示しない孔部が、排水器具６０を流し１０の排水口１４に固定した際に、オーバーフロー流路１６と連通する位置に形成されている。この目皿６１に形成された孔部６１ｂ、及び、連通管６２に形成された図示しない孔部を通して、オーバーフロー流路１６に流れ込んだ水を排水管１８に排水することができる。
【００４７】
この第２実施形態の排水器具６０の取付方法について説明する。図５（ａ）に示すように、まず、流し１０の排水口１４に対して、連通管６２を挿通する。連通管６２を挿通すると、連通管６２の上端側に形成されているフランジ部６３が内面排水口１４ａに当接する。また、膨張部６４が外面排水口１４ｂから流し１０の外面側に位置するような状態となる。このように挿通した連通管６２に対して、その上端側から目皿６１の挿入部６１ａを挿入し、連通管６２のインサートナット６５にねじ込む。目皿６１のねじ込みには、目皿６１をねじ込むための専用工具を用いても良いし、目皿６１をスパナなどの工具と係合可能な形状としても良い。
【００４８】
目皿６１をねじ込んでいくと、図５（ｂ）に示すように、目皿６１の当接部６７が連通管６２のフランジ部６３に当接する。当接部６７が当接した後は、目皿６１をねじ込んでいくことで、インサートナット６５が連通管６２の上端側に引き上げられるように移動する。すると、膨張部６４には、外面排水口１４ｂに向けて押さえつけられるような力が働くので、膨張部６４ｂは連通管６２の外径方向側に拡径するように弾性変形し、外面排水口１４ｂに当接する。
【００４９】
連通管６２はゴム等の弾性変形自在な材料によって形成されるので、連通管６２が固定手段６６である目皿６１によって固定されると、フランジ部６３は目皿６１の当接部６７によって、内面排水口１４ａの縁に押さえつけられるように力を受けるため、フランジ部６３と内面排水口１４ａが密着する。つまり、フランジ部６３は内面排水口１４ａをシールする第１シール部となる。
【００５０】
また、膨張部６４はインサートナット６５によって、外面排水口１４ｂに押しつけられるような力を受ける。そのため、弾性変形した膨張部６４が外面排水口１４ｂと密着し、膨張部６４によって、外面排水口１４ｂをシールする第２シール部が形成される。
【００５１】
このように、排水器具６０は、連通管６２のフランジ部６３と膨張部６４によって形成される第１シール部３９と第２シール部４０によって、流し１０の内面排水口１４ａと外面排水口１４ｂをそれぞれシールするため、排水器具６０を流し１０の排水口１４に取り付ける際に、別途パッキン等のシール部材を取り付ける必要が無い。これにより、排水器具６０の取り付けを簡素化することができ、かつ、排水器具６０の部品点数を少なくすることができる。
【００５２】
そして、流し１０の排水口１４に固定された排水器具６０に対して、排水管１８を接続する。第２実施形態の排水器具６０では、連通管６２の下端側の外周面に排水管接続部６８が形成されている。連通管６２は弾性変形自在なゴム等の材料によって形成されるが、第２実施形態の排水器具６０では、連津管３２の外周面に排水管接続部６８が形成されるため、この排水管接続部６８の周囲だけは、例えば、連通管６２の外周面に張り合わされた金属リングや、連通管６２の下端部と一体に形成されるプラスチックリング等の弾性変形しない部材によって形成されていても良い。つまり、連通管６２は排水管接続部６８の周囲のみが弾性変形しない材料によって形成されているので、この排水管接続部６８に対して、図５（ｃ）に示すように、排水管１８をナット１９によって固定することができる。
【００５３】
このように流し１０の排水口１４に固定される排水器具６０に対して、排水管１８が傾いて取り付けられた場合について、図６を用いて説明する。
【００５４】
図６に示すように、流し１０の排水口１４の中心軸Ａに対して、排水管１８の中心軸Ｂが傾いている場合がある。これは壁面２０、及び、排水管１８の施工状況によっては、壁面２０が傾いていたり、排水管１８が傾いていたりする場合があるためである。そのため、流し１０が傾いている場合や、流し１０と排水管１８の両方が傾いている場合も考えられるが、ここでは説明のために、排水管１８が傾いている場合を例に説明する。
【００５５】
排水器具６０を流し１０の排水口１４に固定した後、連通管６２の排水管接続部６８に対して、図４のように傾いた排水管１８をナット１９によって接続すると、連通管６２のインサートナット６５よりも下端側の部分が、排水管１８の傾きに倣って弾性変形し、排水管１８の傾きを吸収する。
【００５６】
一方で、連通管６２のインサートナット６５よりも上端側の部分は、固定手段６６である目皿６１によってインサートナット６５が固定されているため、インサートナット６５の下端側の部分が変形したとしても、その力がインサートナット６５よりも上側の部分に伝わることはないので、第１シール部３９と第２シール部４０のシールが外れることはない。
つまり、連通管６２は、第１シール部３９と第２シール部４０のシールを維持したまま排水管１８の傾きを吸収することができる。そのため、排水管１８の傾きによって、排水口と排水器具の間に隙間が生じることを抑制することができる。
【００５７】
＜変形例＞
以上、本願の開示する技術の複数の実施形態について説明したが、本願の開示する技術は上記に限定されるものではなく、前述した各実施形態が備える各要素は、技術的に可能な限りにおいて組み合わせることができ、これらを組み合わせたものも本発明の特徴を含む限り本発明の範囲に包含される。  
【符号の説明】
【００５８】
１０：流し
１２：ボウル部
１４：排水口
１４ａ：内面排水口
１４ｂ：外面排水口
１６：オーバーフロー流路
１７：パッキン
１８：排水管
１８ａ：鍔部
１９：ナット
２０：壁面
３０：排水器具
３１：目皿
３１ａ：挿入部
３２：連通管
３２ａ：孔部
３３：フランジ部（第１シール部）
３４：膨張部（第２シール部）
３５：インサートナット（被固定手段）
３６：固定手段
３６ａ：ネジ山
３７：当接部
３８：排水管接続部
３８ａ：ネジ山
３９：第１シール部
４０：第２シール部
６０：排水器具
６１：目皿
６１ａ：挿入部
６１ｂ：孔部
６２：連通管
６３：フランジ部（第１シール部）
６４：膨張部（第２シール部）
６５：インサートナット（被固定手段）
６６：固定手段
６６ａ：ネジ山
６７：当接部
６８：排水管接続部
６８ａ：ネジ山
【図１】
2016065411.tif 000003
【図２】
2016065411.tif 000004
【図３】
2016065411.tif 000005
【図４】
2016065411.tif 000006
【図５】
2016065411.tif 000007
【図６】
2016065411.tif 000008